(57)【要約】【課題】ＭＢＭＳにおいてセルや特定のエリアの端にいるユーザの受信品質を改善することができる無線基地局装置及び無線通信方法を提供すること。【解決手段】本発明の無線基地局装置は、マルチメディア同報サービスに対応しており、下り送信データに対するフィードバック情報を受信する制御信号受信部１６と、前記フィードバック情報を用いて再送判定する再送判定部１５と、再送すると判定された際に、初めて送信するマルチメディア同報サービスデータと再送データとを空間多重して送信する空間多重送信部１３と、再送しないと判定された際に、初めて送信するマルチメディア同報サービスデータを送信ダイバーシチで送信する送信ダイバーシチ送信部１４と、を具備することを特徴とする。【選択図】図２
2010206455.tif 000002
【特許請求の範囲】
【請求項１】
マルチメディア同報サービスに対応する無線基地局装置であって、下り送信データに対するフィードバック情報を受信する受信手段と、前記フィードバック情報を用いて再送判定する再送判定手段と、再送すると判定された際に、初めて送信するマルチメディア同報サービスデータと再送データとを空間多重して送信する空間多重送信手段と、再送しないと判定された際に、初めて送信するマルチメディア同報サービスデータを送信ダイバーシチで送信する送信ダイバーシチ送信手段と、を具備することを特徴とする無線基地局装置。
【請求項２】
特定エリア内においてマルチメディア同報サービスに対応する複数の無線基地局装置のうちの一つの無線基地局装置であって、下り送信データに対するフィードバック情報を受信する受信手段と、前記フィードバック情報を用いて再送判定する再送判定手段と、自装置及び他の無線基地局装置からの再送判定結果を用いて前記特定エリアに対する再送を決定すると共に送信タイミングを決定する再送決定・タイミング決定手段と、再送すると判定された際に、初めて送信するマルチメディア同報サービスデータと再送データとを空間多重して送信する空間多重送信手段と、再送しないと判定された際に、初めて送信するマルチメディア同報サービスデータを送信ダイバーシチで送信する送信ダイバーシチ送信手段と、を具備することを特徴とする無線基地局装置。
【請求項３】
特定エリア内においてマルチメディア同報サービスに対応する複数の無線基地局装置のうちの一つの無線基地局装置であって、下り送信データに対するフィードバック情報を受信する受信手段と、前記フィードバック情報を用いて再送判定する再送判定手段と、再送すると判定された際に、初めて送信するマルチメディア同報サービスデータと再送データとを空間多重して送信する空間多重送信手段と、再送しないと判定された際に、初めて送信するマルチメディア同報サービスデータを、請求項２記載の無線基地局装置からのタイミング情報にしたがって送信ダイバーシチで送信する送信ダイバーシチ送信手段と、を具備することを特徴とする無線基地局装置。
【請求項４】
前記送信ダイバーシチ送信手段は、再送しないと判定された際に、前記マルチメディア同報サービスデータを送信することを特徴とする請求項１から請求項３のいずれかに記載の無線基地局装置。
【請求項５】
前記送信ダイバーシチがオープンループ型の送信ダイバーシチであることを特徴とする請求項１から請求項４のいずれかに記載の無線基地局装置。
【請求項６】
マルチメディア同報サービスに対応する無線通信方法であって、下り送信データに対するフィードバック情報を受信する工程と、前記フィードバック情報を用いて再送判定する工程と、再送すると判定された際に、初めて送信するマルチメディア同報サービスデータと再送データとを空間多重して送信する工程と、再送しないと判定された際に、初めて送信するマルチメディア同報サービスデータを送信ダイバーシチで送信する工程と、を具備することを特徴とする無線通信方法。
【請求項７】
特定エリア内においてマルチメディア同報サービスに対応する複数の無線基地局装置において、下り送信データに対するフィードバック情報を受信する工程と、前記フィードバック情報を用いて再送判定する工程と、前記複数の無線基地局装置のうちの一つの無線基地局装置において、自装置及び他の無線基地局装置からの再送判定結果を用いて前記特定エリアに対する再送を決定すると共に送信タイミングを決定する工程と、再送すると判定された際に、初めて送信するマルチメディア同報サービスデータと再送データとを空間多重して送信する工程と、再送しないと判定された際に、初めて送信するマルチメディア同報サービスデータを送信ダイバーシチで送信する工程と、を具備することを特徴とする無線通信方法。
【請求項８】
前記複数の無線基地局装置のうちの前記一つの無線基地局装置以外の無線基地局装置において、再送すると判定された際に、前記空間多重された前記マルチメディア同報サービスデータ及び前記再送データを、前記一つの無線基地局装置からのタイミング情報にしたがって送信することを特徴とする請求項７記載の無線通信方法。
【請求項９】
再送しないと判定された際に、前記マルチメディア同報サービスデータを、送信ダイバーシチを適用して送信することを特徴とする請求項６から請求項８のいずれかに記載の無線通信方法。
【請求項１０】
前記送信ダイバーシチがオープンループ型の送信ダイバーシチであることを特徴とする請求項６から請求項９のいずれかに記載の無線通信方法。
【発明の詳細な説明】
【技術分野】
【０００１】
本発明は、次世代移動通信システムにおける無線基地局装置及び無線通信方法に関する。
【背景技術】
【０００２】
移動通信ネットワークでは、近年動画像コンテンツを配信するサービスが提供されている。これまでのサービスでは、ポイント・ツー・ポイント接続によるストリーミング技術が適用されており、コンテンツも回線交換ドメインで転送される形態が主となっている。このため、多くのユーザにマルチメディア・サービスとして提供するためには、ネットワーク資源を効率的に使用したサービスが必要である。
【０００３】
３ＧＰＰ（3rd Generation Partnership Project）では、パケット交換ドメインで、マルチキャスト接続によりサービスを提供するＭＢＭＳ（Multimedia Broadcast Multicast Service）を標準化している。このＭＢＭＳ技術は、ブロードキャストメッセージサービスや高速ビデオストリーミングサービスを可能とする技術であるので、ＩＭＴ−AdvancedシステムやＬＴＥ（Long Term Evolution）システムにおいて期待されている技術である。
【先行技術文献】
【非特許文献】
【０００４】
【非特許文献１】３ＧＰＰ，  ＴＲ３６．３００
【発明の概要】
【発明が解決しようとする課題】
【０００５】
ＭＢＭＳでは、複数のユーザに同一のデータを同時に送信する。このため、各ユーザからのフィードバック情報に基づいて送信を制御することが難しい。したがって、各ユーザからのフィードバック情報を用いる適応変復調・チャネル符号化、ハイブリッドＡＲＱ（Hybrid Automatic Repeat reQuest）の適用は一般的に難しい。
【０００６】
しかしながら、ＭＢＭＳのデータレートは、ＭＢＭＳを適用するセルや特定のエリア（複数のセルで構成される領域）の端における品質により決まる。このため、セルや特定のエリアの端にいるユーザの受信品質を改善することが重要となる。
【０００７】
本発明はかかる点に鑑みてなされたものであり、ＭＢＭＳにおいてセルや特定のエリアの端にいるユーザの受信品質を改善することができる無線基地局装置及び無線通信方法を提供することを目的とする。
【課題を解決するための手段】
【０００８】
本発明の無線基地局装置は、マルチメディア同報サービスに対応する無線基地局装置であって、下り送信データに対するフィードバック情報を受信する受信手段と、前記フィードバック情報を用いて再送判定する再送判定手段と、再送すると判定された際に、初めて送信するマルチメディア同報サービスデータと再送データとを空間多重して送信する空間多重送信手段と、再送しないと判定された際に、初めて送信するマルチメディア同報サービスデータを送信ダイバーシチで送信する送信ダイバーシチ送信手段と、を具備することを特徴とする。
【０００９】
本発明の無線通信方法は、マルチメディア同報サービスに対応する無線通信方法であって、下り送信データに対するフィードバック情報を受信する工程と、前記フィードバック情報を用いて再送判定する工程と、再送すると判定された際に、初めて送信するマルチメディア同報サービスデータと再送データとを空間多重して送信する工程と、再送しないと判定された際に、初めて送信するマルチメディア同報サービスデータを送信ダイバーシチで送信する工程と、を具備することを特徴とする。
【発明の効果】
【００１０】
本発明によれば、マルチメディア同報サービスに対応する無線通信方法であって、下り送信データに対するフィードバック情報を受信し、前記フィードバック情報を用いて再送判定し、再送すると判定された際には、初めて送信するマルチメディア同報サービスデータと再送データとを空間多重して送信し、再送しないと判定された際には、初めて送信するマルチメディア同報サービスデータを送信ダイバーシチで送信するので、一定のデータレートを保ちつつＭＢＭＳにおいてセルや特定のエリアの端にいるユーザの受信品質を改善することができる。
【図面の簡単な説明】
【００１１】
【図１】本発明の実施の形態１におけるＭＢＭＳのセルを説明するための図である。
【図２】本発明の実施の形態１に係る無線基地局装置の構成を説明するための図である。
【図３】本発明の実施の形態１に係る無線基地局装置における送信形態を説明するための図である。
【図４】（ａ）〜（ｅ）は、送信ダイバーシチの態様を説明するための図である。
【図５】本発明の実施の形態２におけるＭＢＭＳの特定エリアを説明するための図である。
【図６】本発明の実施の形態２に係る無線基地局装置の構成を説明するための図である。
【図７】本発明の実施の形態２に係る無線基地局装置の構成を説明するための図である。
【発明を実施するための形態】
【００１２】
以下、本発明の実施の形態について、添付図面を参照して詳細に説明する。
（実施の形態１）
本実施の形態においては、一つのセル内の携帯端末（ＵＥ：User Equipment）に対して同一のデータを同時に送信するＭＢＭＳについて説明する。
【００１３】
図１は、本発明の実施の形態１におけるＭＢＭＳのセルを説明するための図である。図１から分かるように、一つのセルに、マルチメディア同報サービスに対応する無線基地局装置１と、この無線基地局装置１と通信する複数の携帯端末２が存在する。無線基地局装置１と複数の携帯端末２との間では、各携帯端末２からのフィードバック情報を用いる制御である、ハイブリッドＡＲＱを行う。すなわち、無線基地局装置１から下り送信データを送信し、携帯端末２が下り送信データを受信すると、携帯端末２においてデータの復号後の誤りを検出する。携帯端末２において、正しく復号できた場合は、携帯端末２は、ＡＣＫ（Acknowledgement：確認応答）を無線基地局装置１に送信する。一方、携帯端末２において、誤って復号された場合は、携帯端末２は、ＮＡＣＫ（Negative-Acknowledgement：否定応答）を無線基地局装置１に送信する。無線基地局装置１は、ＮＡＣＫを受信した場合には、そのパケットデータを再送信する。
【００１４】
図２は、本発明の実施の形態１に係る無線基地局装置の構成を説明するための図である。図２に示す無線基地局装置は、ＭＢＭＳ信号を生成するＭＢＭＳ信号生成部１１と、送信パケットを再送用に保存する再送パケット保存部１２と、初めて送信するパケットと再送パケットを空間多重して送信するする空間多重送信部１３と、初めて送信するＭＢＭＳ信号を送信ダイバーシチで送信する送信ダイバーシチ送信部１４と、フィードバック情報（ここでは、ＡＣＫ情報又はＮＡＣＫ情報）を受信する制御信号受信部１６と、フィードバック情報を用いて再送判定する再送判定部１５と、２つの送信アンテナ１７ａ，１７ｂとから主に構成されている。
【００１５】
ＭＢＭＳ信号生成部１１は、携帯端末２に配信するデータ（ＭＢＭＳ信号：マルチメディア同報サービスデータ）を生成する。ＭＢＭＳ信号生成部１１は、ＭＢＭＳ信号を再送パケット保存部１２に送ると共に、空間多重送信部１３又は送信ダイバーシチ送信部１４に送る。この場合において、再送判定部１５で再送が必要と判定されたときには、ＭＢＭＳ信号（初めて送信されるパケット：初回送信パケット）は空間多重送信部１３に送られ、再送パケットと共に空間多重処理されて送信される。この再送パケットは、再送パケット保存部１２から空間多重送信部１３に出力される。一方、再送判定部１５で再送が不要と判定されたときには、ＭＢＭＳ信号（初回送信パケット）は送信ダイバーシチ送信部１４に送られ、送信ダイバーシチが適用されて２つのアンテナ１７ａ，１７ｂから送信される。
【００１６】
再送パケット保存部１２は、携帯端末２からＮＡＣＫが送られてきたときに再送するために、送信パケットを保存する。再送パケット保存部１２に保存された再送用のパケットは、再送判定部１５で再送が必要と判定されたときに、空間多重送信部１３に送られる。
【００１７】
空間多重送信部１３は、再送すると判定された際に、初めて送信するＭＢＭＳ信号（初回送信パケット）と再送データ（再送パケット）とを空間多重する。すなわち、空間多重送信部１３では、再送判定部１５で再送すると判定された際（再送パケットがある場合）に、初回送信パケットと再送パケットを空間多重する。このとき、初回送信パケット（新パケット）はＭＢＭＳ信号生成部１１から出力され、再送パケットは再送パケット保存部１２から出力される。このように、初回送信パケットと再送パケットを空間多重することにより、初回送信パケットにもともと与えられていた帯域の一部を使って再送パケットを送信するので、再送パケット用に追加で無線リソースを使わない。このため、伝送レートを一定に保つことができる（固定の伝送レート）。空間多重送信部１３は、空間多重処理されたパケットを送信アンテナ１７ａ，１７ｂから送信する。
【００１８】
送信ダイバーシチ送信部１４は、再送判定部１５で再送しないと判定された際に、ＭＢＭＳ信号（初回送信パケット）を、送信ダイバーシチを適用して送信アンテナ１７ａ，１７ｂから送信する。
【００１９】
制御信号受信部１６は、下り送信データに対するフィードバック情報であるＡＣＫ情報又はＮＡＣＫ情報を受信する。制御信号受信部１６は、フィードバック情報を再送判定部１５に出力する。
【００２０】
再送判定部１５は、フィードバック情報を用いて再送判定する。再送判定の方法としては、例えば、少なくとも１ユーザ（１つの携帯端末２）がＮＡＣＫを送信した場合に再送する必要があると判定する方法、ＮＡＣＫの数にしきい値を設けておき、このしきい値を超えるＮＡＣＫ数になったときに再送する必要があると判定する方法、ＮＡＣＫの受信パワにしきい値を設けておき、このしきい値を超えるＮＡＣＫ受信パワになったときに再送する必要があると判定する方法などが挙げられる。再送判定部１５は、再送判定結果（再送する／再送しない）をＭＢＭＳ信号生成部１１、空間多重送信部１３、送信ダイバーシチ送信部１４に出力する。
【００２１】
上記構成を有する無線基地局装置１を備えた無線通信システムにおいては、次のような手順でサービス（ＭＢＭＳ）が提供される。マルチキャストモードでは、サービス加入により予め取得したＭＢＭＳユーザサービスの情報（パラメータ）を用いてサービスへの参加をネットワークに要求してマルチキャストグループに加わる。これにより、ネットワークがユーザの携帯端末をマルチキャストルートに接続する。次いで、ネットワーク側からのセッション開始手順により、ネットワーク内のＭＢＭＳベアラのリソースが活性化され、当該セッションで配信されるデータが携帯端末に転送される。
【００２２】
一方、放送モードの場合には、提供されるサービスエリア全体に配信されるので、サービス加入などの手順は不要であり、各携帯端末上で、受信したサービスアナウンスメントから接続に必要なパラメータを得て、それぞれの放送サービスのチャネルに合わせることでサービスを受けることができる。
【００２３】
このようなＭＢＭＳ伝送において、下り送信データに対するフィードバック情報を受信し、前記フィードバック情報を用いて再送判定し、再送すると判定された際に、初めて送信するＭＢＭＳ信号（初回送信パケット）と再送データ（再送パケット）とを空間多重して送信し、再送しないと判定された際に、初めて送信するＭＢＭＳ信号を送信ダイバーシチで送信する。
【００２４】
具体的には、無線基地局装置１が初回送信パケットを下り回線で各携帯端末２に送信する。携帯端末２においては、初回送信パケットを受信して復号し、誤りが検出されるかどうかを判定する。誤りが検出されれば、フィードバック情報をＮＡＣＫとし、誤りが検出されなければ、フィードバック情報をＡＣＫとする。セル内の各携帯端末２は、このフィードバック情報（ＡＣＫ情報又はＮＡＣＫ情報）を上り回線で無線基地局装置１に送信する。無線基地局装置１において、制御信号受信部１６がフィードバック情報を受信する。このフィードバック情報は再送判定部１５に出力される。再送判定部１５においては、フィードバック情報に基づいて初回送信パケットを再送するか否かを判定する。再送判定の方法は上述した通りである。再送判定の結果は、ＭＢＭＳ信号生成部１１、空間多重送信部１３、送信ダイバーシチ送信部１４に出力される。
【００２５】
再送が必要と判定された場合（再送パケットがある場合）には、空間多重送信部１３において、ＭＢＭＳ信号生成部１１からの初回送信パケットと、再送パケット保存部１２からの再送パケットとを空間多重し、空間多重されたパケットを送信アンテナ１７ａ，１７ｂから送信する。例えば、図３（ｂ）に示すように、初回送信パケット（新パケット）を一方の送信アンテナ１７ａから送信し、再送パケットを他方の送信アンテナ１７ｂから送信する。このとき、同じパケットをセル内のすべての携帯端末２に対して送信する。このように、再送時に空間多重を適用することにより、再送用の無線リソースを使う必要がないので、データレートを落とさずに再送を適用することができる。そして、再送を適用することができるので、マルチキャスト伝送におけるセル端の携帯端末の受信品質を改善することができる。
【００２６】
再送が不要と判定された場合（再送パケットがない場合）には、送信ダイバーシチ送信部１４において、ＭＢＭＳ信号生成部１１からの初回送信パケットを、送信ダイバーシチを適用して送信アンテナ１７ａ，１７ｂから送信する。すなわち、図３（ａ）に示すように、初回送信パケット（新パケット）をそれぞれ送信アンテナ１７ａ，１７ｂから送信する。このとき、同じパケットをセル内のすべての携帯端末２に対して送信する。このように、初回送信パケットのみに送信ダイバーシチを適用することにより、携帯端末における受信品質を改善することができる。
【００２７】
ここで、送信ダイバーシチについては、フィードバック情報が不要なオープンループ型の送信ダイバーシチであることが好ましい。オープンループ型の送信ダイバーシチとしては、ＦＳＴＤ（Frequency  Switched  Transmit  Diversity）、ＴＳＴＤ（Time  Switched  Transmit  Diversity）、ＳＦＢＣ（Space  Frequency  Block  Code）、ＳＴＢＣ（Space  Time  Block  Code）、ＣＤＤ（Cyclic  Delay  Diversity）などを挙げることができる。
【００２８】
ＦＳＴＤは、図４（ａ）に示すように、同一ＯＦＤＭシンボル区間の隣接する２サブキャリア信号で交互に送信アンテナを切り替える方式であり、ＴＳＴＤは、図４（ｂ）に示すように、隣接するＯＦＤＭシンボルで交互に送信アンテナを切り替える方式である。ＳＦＢＣは、図４（ｃ）に示すように、隣接する２サブキャリアの同じ時間の２データシンボルをセットにして、空間・周波数符号化（Alamouti符号化）を行う方式である。ＳＴＢＣは、図４（ｄ）に示すように、隣接するＯＦＤＭシンボルの２サブキャリア分をセットにして、空間・周波数符号化（Alamouti符号化）を行う方式である。ＣＤＤは、図４（ｅ）に示すように、送信アンテナ1７ａの送信信号に対して、送信アンテナ１７ｂの送信信号のタイミングを遅延させる方式である。なお、遅延量はＣＰ（Cyclic prefix）以内である。
【００２９】
（実施の形態２）
本実施の形態においては、複数のセルで構成される特定エリア内の携帯端末に対して同一のデータを同時に送信するＭＢＭＳについて説明する。
【００３０】
図５は、本発明の実施の形態２におけるＭＢＭＳの特定エリアを説明するための図である。図５から分かるように、ここでは、３つのセルで特定エリアを構成している。それぞれのセルに、マルチメディア同報サービスに対応する無線基地局装置１ａ，１ｂ，１ｃと、各セルにおいて無線基地局装置１ａと通信する複数の携帯端末２ａが存在し、無線基地局装置１ｂと通信する複数の携帯端末２ｂが存在し、無線基地局装置１ｃと通信する複数の携帯端末２ｃが存在する。無線基地局装置１ａと複数の携帯端末２ａとの間、無線基地局装置１ｂと複数の携帯端末２ｂとの間、無線基地局装置１ｃと複数の携帯端末２ｃとの間では、各携帯端末からのフィードバック情報を用いる制御である、ハイブリッドＡＲＱを行う。すなわち、無線基地局装置１ａ，１ｂ，１ｃから下り送信データを送信し、携帯端末２ａ，２ｂ，２ｃがそれぞれ下り送信データを受信すると、携帯端末２ａ，２ｂ，２ｃにおいてデータの復号後の誤りを検出する。携帯端末２ａ，２ｂ，２ｃにおいて、正しく復号できた場合は、携帯端末２ａ，２ｂ，２ｃは、ＡＣＫを無線基地局装置１ａ，１ｂ，１ｃに送信する。一方、携帯端末２において、誤って復号された場合は、携帯端末２ａ，２ｂ，２ｃは、ＮＡＣＫを無線基地局装置２ａ，２ｂ，２ｃに送信する。無線基地局装置１は、ＮＡＣＫを受信した場合には、そのパケットデータを再送信し、ＡＣＫを受信するまで次のパケットを送信しない。
【００３１】
このシステムにおいては、各無線基地局装置で再送判定を行い、複数の無線基地局装置のうちの一つの無線基地局装置で特定エリアに再送するか否かの決定を行い、再送する場合にそのタイミングを決定し、そのタイミング情報を他の無線基地局装置に伝送する。そして、特定エリア内のすべての無線基地局装置がタイミングを合わせて携帯端末にパケットを送信する。
【００３２】
図６及び図７は、本発明の実施の形態２に係る無線基地局装置の構成を説明するための図である。図６及び図７において、図２と同じ部分については図２と同じ符号を付して、その詳細な説明は省略する。
【００３３】
図６は、複数の無線基地局装置１ａ，１ｂ，１ｃのうちの一つの無線基地局装置１ａの構成を示しており、無線基地局装置１ａは、自装置及び他の無線基地局装置１ｂ，１ｃからの再送判定結果を用いて特定エリアに対する再送を決定すると共に、送信タイミングを決定する再送決定・タイミング決定部１８を備えている。
【００３４】
再送判定部１５は、フィードバック情報を用いて再送判定する。再送判定の方法としては、上述した通りである。再送判定部１５は、再送判定結果（再送する／再送しない）を再送決定・タイミング決定部１８に出力する。また、他の無線基地局装置１ｂ，１ｃからの再送判定結果も再送決定・タイミング決定部１８に送られる。
【００３５】
再送決定・タイミング決定部１８は、自装置１ａ及び他の無線基地局装置１ｂ，１ｃからの再送判定結果を用いて特定エリアに対する再送を決定すると共に、送信タイミングを決定する。再送決定の方法としては上述した通りである。再送決定・タイミング決定部１８は、再送を決定し、そのタイミングを決定したときは、タイミング情報を自装置１ａのＭＢＭＳ信号生成部１１、空間多重送信部１３、送信ダイバーシチ送信部１４に出力する。また、再送決定・タイミング決定部１８は、再送を決定し、そのタイミングを決定したときは、他の無線基地局装置１ｂ，１ｃにタイミング情報を送信する。なお、再送決定・タイミング決定部１８は、再送を行わないときも、送信タイミングを決定し、他の無線基地局装置１ｂ，１ｃにタイミング情報を送信する。
【００３６】
図７は、複数の無線基地局装置１ａ，１ｂ，１ｃのうちの一つの無線基地局装置１ａ以外の無線基地局装置１ｂ，１ｃの構成を示しており、無線基地局装置１ｂ，１ｃの再送判定部１５は、再送判定結果を無線基地局装置１ａに送信すると共に、無線基地局装置１ａからのタイミング情報を受信する。再送判定部１５は、タイミング情報（必要に応じて再送決定情報も含む）をＭＢＭＳ信号生成部１１、空間多重送信部１３、送信ダイバーシチ送信部１４に出力する。
【００３７】
図５に示すシステムでのＭＢＭＳ伝送においては、特定エリア内においてマルチメディア同報サービスに対応する複数の無線基地局装置１ａ，１ｂ，１ｃにおいて、下り送信データに対するフィードバック情報を受信し、前記フィードバック情報を用いて再送判定し、前記複数の無線基地局装置１ａ，１ｂ，１ｃのうちの一つの無線基地局装置１ａにおいて、自装置１ａ及び他の無線基地局装置１ｂ，１ｃからの再送判定結果を用いて前記特定エリアに対する再送を決定すると共に送信タイミングを決定し、再送すると判定された際に、初めて送信するＭＢＭＳ信号（初回送信パケット）と再送データ（再送パケット）とを空間多重して送信し、再送しないと判定された際に、初めて送信するＭＢＭＳ信号を送信ダイバーシチで送信する。この場合において、複数の無線基地局装置１ａ，１ｂ，１ｃのうちの前記一つの無線基地局装置１ａ以外の無線基地局装置１ｂ，１ｃにおいて、再送すると判定された際に、前記空間多重されたＭＢＭＳ信号と再送データを、前記一つの無線基地局装置１ａからのタイミング情報にしたがって空間多重して送信する。また、無線基地局装置１ａは、再送を行わないときも、送信タイミングを決定し、他の無線基地局装置１ｂ，１ｃにタイミング情報を送信する。このように、パケット送信の際に、複数の無線基地局装置１ａ，１ｂ，１ｃで同期してパケットを送信する。
【００３８】
具体的には、無線基地局装置１ａ，１ｂ，１ｃが初回送信パケットを下り回線で各携帯端末２ａ，２ｂ，２ｃにそれぞれ送信する。携帯端末２ａ，２ｂ，２ｃにおいては、初回送信パケットを受信して復号し、誤りが検出されるかどうかを判定する。誤りが検出されれば、フィードバック情報をＮＡＣＫとし、誤りが検出されなければ、フィードバック情報をＡＣＫとする。特定エリア内の各携帯端末２ａ，２ｂ，２ｃは、このフィードバック情報（ＡＣＫ情報又はＮＡＣＫ情報）を上り回線で無線基地局装置１ａ，１ｂ，１ｃにそれぞれ送信する。無線基地局装置１ａ，１ｂ，１ｃにおいて、制御信号受信部１６がフィードバック情報を受信する。このフィードバック情報は再送判定部１５に出力される。再送判定部１５においては、フィードバック情報に基づいて初回送信パケットを再送するか否かを判定する。再送判定の方法は上述した通りである。再送判定の結果は、無線基地局装置１ａの再送決定・タイミング決定部１８に出力される。
【００３９】
再送決定・タイミング決定部１８で再送が必要と判定された場合（再送パケットがある場合）には、各無線基地局装置１ａ，１ｂ，１ｃの空間多重送信部１３において、ＭＢＭＳ信号生成部１１からの初回送信パケットと、再送パケット保存部１２からの再送パケットとを空間多重して送信アンテナ１７ａ，１７ｂから送信する。例えば、図３（ｂ）に示すように、初回送信パケット（新パケット）を一方の送信アンテナ１７ａから送信し、再送パケットを他方の送信アンテナ１７ｂから送信する。このとき、同じパケットを特定エリア内のすべての携帯端末２ａ，２ｂ，２ｃに対してタイミングを合わせて送信する。このように、再送時に空間多重を適用することにより、再送用の無線リソースを使う必要がないので、データレートを落とさずに再送を適用することができる。そして、再送を適用することができるので、マルチキャスト伝送におけるセル端の携帯端末の受信品質を改善することができる。
【００４０】
再送決定・タイミング決定部１８で再送が不要と判定された場合（再送パケットがない場合）には、各無線基地局装置１ａ，１ｂ，１ｃの送信ダイバーシチ送信部１４において、ＭＢＭＳ信号生成部１１からの初回送信パケットを、送信ダイバーシチを適用して送信アンテナ１７ａ，１７ｂから送信する。すなわち、図３（ａ）に示すように、初回送信パケット（新パケット）をそれぞれ送信アンテナ１７ａ，１７ｂから送信する。このとき、同じパケットを特定エリア内のすべての携帯端末２ａ，２ｂ，２ｃに対してタイミングを合わせて送信する。このように、初回送信パケットに送信ダイバーシチを適用することにより、携帯端末における受信品質を改善することができる。
【００４１】
本発明は上記実施の形態に限定されず、種々変更して実施することが可能である。例えば、上記実施の形態１，２においては、送信アンテナが２本である場合について説明しているが、本発明はこれに限定されず、送信アンテナが３本以上である場合にも適用することができる。また、上記実施の形態１，２において、初回送信パケットと再送パケットを空間多重して送信する場合において、初回送信パケットと再送パケットを２つの送信アンテナにそれぞれ割り当てて送信する場合について説明しているが、本発明はこれに限定されず、初回送信パケットと再送パケットを合成し、合成信号を２つの送信アンテナから送信する場合にも適用することができる。また、上記実施の形態２においては、各無線基地局装置で再送判定を行った後にその再送判定結果を用いて最終の再送決定を行う場合について説明しているが、本発明はこれに限定されず、一つの無線基地局装置にすべてのセルのフィードバック情報を送信し、その一つの無線基地局装置において再送判定を行うようにしても良い。
【００４２】
本発明の範囲を逸脱しない限りにおいて、上記説明における処理部の数、処理手順については適宜変更して実施することが可能である。また、図に示される要素の各々は機能を示しており、各機能ブロックがハードウエアで実現されても良く、ソフトウエアで実現されてもよい。その他、本発明の範囲を逸脱しないで適宜変更して実施することが可能である。
【符号の説明】
【００４３】
１，１ａ，１ｂ，１ｃ  無線基地局装置
２，２ａ，２ｂ，２ｃ  携帯端末
１１  ＭＢＭＳ信号生成部
１２  再送パケット保存部
１３  空間多重送信部
１４  送信ダイバーシチ送信部
１５  再送判定部
１６  制御信号受信部
１７ａ，１７ｂ  送信アンテナ
１８  再送決定・タイミング決定部
【図１】
2010206455.tif 000003
【図２】
2010206455.tif 000004
【図３】
2010206455.tif 000005
【図４】
2010206455.tif 000006
【図５】
2010206455.tif 000007
【図６】
2010206455.tif 000008
【図７】
2010206455.tif 000009